(57)【特許請求の範囲】
【請求項１】
胴部と、前記胴部の天面を覆う頂部と、を備えて物品を収容可能な包装袋であって、前記胴部は、前記物品を複数収容した状態で略直方体形状を呈し、
前記頂部には、前記包装袋の内部を開放／閉塞することが可能な開閉部と、前記胴部の天面より小さい面積を有し、前記胴部の底面部と略平行であって前記開閉部より前記胴部側に位置する天面部と、が設けられ、
前記胴部には複数の前記物品を並置した状態で配列可能であり、
前記胴部の底面部と略平行であって前記物品の配列方向と直交する方向において、前記天面部の幅が前記胴部の天面の幅より狭く、
前記頂部は、前記天面部の周縁から立ち上がる立ち上がり部と、前記立ち上がり部に接続される一対の傾斜面部と、を有し、
前記開閉部は、前記立ち上がり部が囲む前記天面部の上の空間に面するように内周に沿って配置されており、
前記配列方向と直交する方向の前記頂部の断面が、前記天面部の幅を上底とし、前記胴部の天面の幅を下底とし、前記一対の傾斜面部の傾斜方向の幅を一対の脚とした略等脚台形を含むものであり、
前記上底の中点と前記下底の一方の先端点とを結んだ線と、前記下底と、で成す角度をθとしたときのｔａｎθが、０．１以上０．５以下であることを特徴とする、包装袋。
【請求項２】
前記物品の滑りを防止する滑り防止部を有し、
前記滑り防止部は、前記包装袋の内側の面に形成されることを特徴とする、請求項１に記載の包装袋。
【請求項３】
前記滑り防止部は、前記天面部と収容された前記物品との間に位置する前記包装袋の内側の面に形成されることを特徴とする、請求項２に記載の包装袋。
【請求項４】
前記頂部は、前記胴部より伸張率の低い素材で構成されていることを特徴とする、請求項１から請求項３のいずれか一項に記載の包装袋。
【請求項５】
前記物品は、衛生用品であることを特徴とする、請求項１から請求項４のいずれか一項に記載の包装袋。
【請求項６】
請求項１から請求項５のいずれか一項に記載の包装袋により前記物品が収容されていることを特徴とする、包装体。
【発明の詳細な説明】
【技術分野】
【０００１】
本発明は、包装袋および包装体に関し、特に、包装対象となる複数の物品を収容するのに好適な包装袋および当該包装袋により物品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を整列して収容することで、効率良く物品を梱包可能な包装袋が示されている。
【０００３】
一方、開封後の包装袋に収容された物品をできる限り清潔に保つために、包装袋の開口を開放／閉塞することが可能な開閉部を包装袋に設けることが好ましいと考えられる。当該開閉部は、例えば、互いに係合して閉塞可能な一対の係合部材で構成されたチャックとして包装袋の頂部に設けられる。
【先行技術文献】
【特許文献】
【０００４】
【特許文献１】特開２００１−２４７１８１号公報
【発明の概要】
【発明が解決しようとする課題】
【０００５】
一般に、収容効率を高めるため、包装袋の内部には、底面から天面に至るまで、物品が密に収容されている。しかし、特許文献１に記載されたような包装袋では、例えば、開閉部としてチャックを包装袋の頂部の開口付近に設けた場合、開封後に、頂部付近まで収容された物品に妨げられ、チャックのうち一方の係合部材と他方の係合部材とを係合させて包装袋を閉塞する動作がやりにくくなり、閉塞動作に手間取る場合があった。
【０００６】
本発明の目的は、簡単且つ迅速に閉塞動作を行うことが可能な包装袋および包装体を提供することにある。
【課題を解決するための手段】
【０００７】
本発明による包装袋は、胴部と、胴部の天面を覆う頂部と、を備えて物品を収容可能な包装袋であって、胴部は、物品を複数収容した状態で略直方体形状を呈し、頂部には、包装袋の内部を開放／閉塞することが可能な開閉部と、胴部の天面より小さい面積を有し、胴部の底面部と略平行であって開閉部より胴部側に位置する天面部と、が設けられることを特徴とするものである。
【０００８】
また、本発明による包装体は、本発明による包装袋によって物品を収容したことを特徴とするものである。
【発明の効果】
【０００９】
本発明の包装袋および包装体によれば、簡単且つ迅速に包装袋を閉塞することが可能となる。
【図面の簡単な説明】
【００１０】
【図１】本発明の第１の実施形態に係る、開封前の包装袋および包装体の斜視図である。
【図２】本発明の第１の実施形態に係る、開封前の包装袋および包装体を示す図であり、（ａ）は図１のＩＩａ方向の正面図、（ｂ）は図１のＩＩｂ方向の正面図、（ｃ）は上面図、（ｄ）は底面図である。
【図３】本発明の第１の実施形態に係る包装袋を閉塞する様子、および各部の寸法や角度の関係について説明するために模式的に表した断面図であり、（ａ）は図２（ｃ）のＩＩＩａ−ＩＩＩａ方向断面図、（ｂ）は開封後かつ閉塞後の包装袋の開閉部付近を示す図である。
【図４】本発明の第１の実施形態に係る、閉塞後の包装袋および包装体の一例を表した斜視図である。
【発明を実施するための形態】
【００１１】
以下、図面を参照しながら本発明を実施するための形態を詳細に説明する。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１５】
本発明の実施形態に係る包装袋は、包装袋の天面部を、物品が収容される胴部の天面の面積より小さくなるように設定することによって、包装袋の頂部に括れ部分が形成され、収容された物品の移動を制限する。その結果、包装袋の頂部の開口付近に設けられた開閉部を閉塞するために必要なシート部分が確保されるため、簡単且つ迅速に包装袋を閉塞することが可能となるものである。
【００１６】
＜第１の実施形態＞  
＜構造＞  
図１および図２に本発明の第１の実施形態に係る、開封前の包装袋１および包装体１００を示し、図１は斜視図、図２（ａ）は図１のＩＩａ方向の正面図、図２（ｂ）は図１のＩＩｂ方向の正面図、図２（ｃ）は上面図、図２（ｄ）は底面図をそれぞれ表す。なお、図中の点状のハッチングで示した部分は、後述する胴部３の天面３Ｔを表す。
【００１７】
本実施形態に係る包装袋１は、天面３Ｔと底面との間の物品（本実施形態では衛生用品２）を収容する空間を実質的に画成する胴部３と、当該胴部３の天面３Ｔを覆う頂部４とを備えて構成される。なお、本実施形態において、これらの部分は、１枚のシート状部材の折り曲げ等によって予め一体に形成されているものであるが、これに限られず、本発明では、別体に製造された後に一体化されたものであってもよい。また、本発明では、包装袋１は、いわゆる、天面側に片ガセットを配置したタイプのものであってもよい。
【００１８】
本実施形態の包装袋１の胴部３は、衛生用品２を複数収容した状態で略直方体形状を呈し、包装袋１の底面部（図２（ｄ）を参照）と略垂直な４つの側面部を有する。これら４つの側面部は、二対の対向する側面部からなり、包装袋１の底面部と平行方向において、幅の長い一対の側面部（以下、一対の長面部ともいう）と、幅の短い一対の側面部（以下、一対の短面部ともいう）とを含んで構成されるものである。長面部は図２（ａ）に示す側面部であり、短面部は図２（ｂ）に示す側面部である。図２（ｃ）に示すように、その略直方体を包装袋１の天面側からみた場合の包装袋１の胴部３の天面３Ｔの形状は略長方形である。本実施形態では、その略長方形のうち短辺の長さ（すなわち、胴部３の短面部の幅の長さ）を２Ｘとする。なお、本明細書および特許請求の範囲の記載において「略直方体」というときは、当然に立方体も含まれるし、「略長方形」というときは、当然に正方形も含まれる。包装袋１の胴部３の天面３Ｔの形状が正方形である場合、本明細書および特許請求の範囲の記載において、いずれの辺を短辺（または長辺）とみなしてもよく、また、いずれの側面部を短面部（または長面部）とみなしてもよい。
【００１９】
頂部４には、包装袋１の胴部３の底面部と略平行に配されて衛生用品２を覆う天面部５と、これに付帯して天面部５の周縁から立ち上がる立ち上がり部６と、が設けられる。また、頂部４には、立ち上がり部６に接続される一対の傾斜面部８と、同じく立ち上がり部６に接続される一対の台形側面部９を有する。具体的には、傾斜面部８は、矩形形状を呈し、包装袋１の胴部３の一対の長面部と立ち上がり部６との間に傾いて配置されるように形成されている。また、台形側面部９は、台形形状を呈し、包装袋１の胴部３の一対の短面部と立ち上がり部６との間に配置されるように形成されている。
【００２０】
本実施形態の包装袋１の頂部４に設けられる立ち上がり部６は、天面と底面を補って略直方体形状を呈する。図２（ｃ）に示すように、立ち上がり部６を包装袋１の天面側からみた場合の包装袋１の立ち上がり部６の形状は略長方形である。ここで、「略直方体」や「略長方形」の定義については、上述した胴部３の形状に係るものと同様である。天面部５の中央付近には、その略長方形の長辺と略平行に開封線７が設けられ、これを破断することで、包装袋１が開封され、包装袋１の開口が形成される。開封線７は、例えば、ミシン目として天面部５上に形成される。
【００２１】
頂部４には、包装袋１の内部を開放／閉塞することが可能な開閉部１０が設けられる。開閉部１０は、例えば、互いに係合（例えば、咬合）して閉塞可能な一対の係合部材を有するチャックで構成され、図１および図２（ｃ）に示すように、互いに係合可能な雌係合部材１０ａと雄係合部材１０ｂとで構成される。本実施形態では、開閉部１０は、包装袋１の胴部３の底面部と略平行であって、立ち上がり部６が囲む天面部５上の空間に面するよう内周に沿って配置され、例えば、包装袋１の表面に接着することによって形成される。本実施形態では、図２（ｃ）に示す立ち上がり部６を構成する略長方形において、上半分の内周部分に雌係合部材１０ａが形成され、下半分の内周部分に雄係合部材１０ｂが形成される。開閉部１０を設けることによって、必要な枚数の衛生用品２を取り出した後、開閉部１０により包装袋１の開口を閉塞することが可能となるため、開封後に塵埃や虫などの異物が侵入し衛生用品２に付着することを防止することが可能となる。
【００２２】
天面部５は、胴部３の天面３Ｔより小さい面積を有し、胴部３の底面部と略平行であって開閉部１０より胴部３側に位置するように形成されている。また、胴部３には、複数の衛生用品２を並置した状態で配列可能となっており、本実施形態では、胴部３の底面部と略平行であって物品２の配列方向と直交する方向において、天面部５の幅が胴部３の天面３Ｔの幅より狭くなっている。この構成により、図２（ｂ）に示すように、台形側面部９の形状が、上底の長さが下底の長さより短い略等脚台形の形状を呈するものになっている。
【００２３】
また、図２（ｂ）に示すように、開閉部１０は、収容された衛生用品２に対して、一定の距離をもって位置するように形成されている。具体的には、開閉部１０は、収容された衛生用品２に対し、開閉部１０から距離（Ｌ１＋Ｌ２）をもって位置するように形成されている。ここで、Ｌ１は、胴部３の底面部に垂直な方向において、開閉部１０から天面部５までの距離であり、Ｌ２は、傾斜方向における傾斜面部８の幅の距離（長さ）である。
【００２４】
本実施形態では、当該距離（Ｌ１＋Ｌ２）が設けられることによって、開閉部１０のうち雌係合部材１０ａと雄係合部材１０ｂとが、互いに対峙して容易に係合できる範囲に移動することが可能となるため、包装袋１を簡単且つ迅速に閉塞することが可能となる。ここで、距離（Ｌ１＋Ｌ２）は、上記略長方形の長辺に相当する立ち上がり部６の対向側面部分を短辺方向に引き寄せて開閉部１０を閉じる（雌係合部材１０ａおよび雄係合部材１０ｂの係合を行わせる）という条件に基づけば、長さ２Ｘの２分の１より大きくあるべきである。さらに、開閉操作を行い易くするためには、開閉部１０は立ち上がり部６の上縁に近い位置に設けられることが好ましい。
【００２５】
＜包装袋の閉塞＞  
図３を用い、本発明の第１の実施形態に係る包装袋１を閉塞する様子、および各部の寸法や角度の関係について説明する。ここで、図３（ａ）は、図２（ｃ）のＩＩＩａ−ＩＩＩａ方向断面を模式的に表した図であって、開封前の包装袋１の開閉部１０付近を示し、図３（ｂ）は、開封後かつ閉塞後の包装袋１の開閉部１０付近の断面を模式的に示す。また、図４は閉塞後の包装袋１の一例を表した斜視図である。
【００２６】
開封前の包装袋１の開閉部１０については、図３（ａ）に示すように、雌係合部材１０ａと雄係合部材１０ｂとが互いに離れて、対向している様子がわかる。開封後の包装袋１を閉塞する際の開閉部１０については、図３（ｂ）に示すように、雌係合部材１０ａと雄係合部材１０ｂとが互いに係合して包装袋１を閉塞している様子がわかる。包装袋１を閉塞すると、包装袋１は図４に示すような状態になる。
【００２７】
本実施形態では、図３（ａ）に示すように、衛生用品２の配列方向と直交する方向において、頂部４の断面は、天面部５の幅を上底とし、胴部３の天面３Ｔの幅を下底とし、一対の傾斜面部８の傾斜方向の幅を一対の脚とした略等脚台形を含むものとなっている。また、本実施形態では、上底の中点Ｎと下底の一方の先端点Ｅとを結んだ線と、下底と、で成す角度をθとしたときのｔａｎθが、０．１以上０．５以下であることが好ましい。ここで、包装袋１の胴部３の底面部に垂直な方向において、胴部３の天面３Ｔから天面部５までの距離をＹとすると、ｔａｎθは、Ｙ／Ｘと表すことができ、Ｙ／Ｘの好適な範囲は、０．１≦Ｙ／Ｘ≦０．５となる。また、衛生用品２の配列方向と直交する方向において、天面部５の幅の長さを２Ｚとすると、上底の長さ２Ｚは、下底の長さ２Ｘの０．８倍以下が好ましい。これらのパラメータＸ、Ｙ、Ｚ、およびθは、開閉部１０の閉塞しやすさだけでなく、衛生用品２の取り出しやすさ等を考慮して、設定されうる。
【００２８】
従来、衛生用品が収容される包装袋については、包装袋の胴部の一方の幅が、収容される衛生用品の幅と同等となっている場合が多い。そこで仮に、特許文献１に記載されたような包装袋の頂部の開口付近に開閉部１０を形成し、開閉部１０を閉塞するために必要な空間を頂部に設けた場合、収容された衛生用品２が上下にスライドし、開閉部１０の閉塞に必要なシート部分を確保できない結果、開閉部１０をうまく閉塞できないケースが考えられる。
【００２９】
本実施形態では、包装袋１の天面部５の幅を包装袋１の胴部３の幅より狭くすることで、傾斜面部８が形成され、この傾斜面部８が包装袋１の括れ部分となり、収容された衛生用品が頂部４の方へ移動することが妨げられることになる。その結果、上述した距離（Ｌ１+Ｌ２）が保持され、開閉部１０を閉塞するために必要なシート部分が確保されるため、簡単且つ迅速に包装袋を閉塞することが可能となる。
【００３０】
本実施形態では、物品として衛生用品を対象としたが、衛生用品は、他の物品に比べて、包装袋内部への異物の侵入を防ぐため、包装袋を開封し、収容された衛生用品を取り出して閉塞する、という一連の動作を迅速に行うことへの要求が高いことから、本発明の効果をより享受できる。
【００３１】
＜第２の実施形態＞  
本発明の第２の実施形態では、収容された物品（本実施形態では衛生用品２）の移動をさらに制限するため、包装袋１の内側面に滑り防止部を設ける例について説明する。本実施形態に係る包装袋１を構成する各要素のうち、同様の機能を有するものについては、第１の実施形態と同一の符号を付してその説明を省略する。
【００３２】
本実施形態に係る包装袋１は、衛生用品２の滑りを防止する滑り防止部を有する。具体的には、滑り防止部は、包装袋１の内側の面に形成される。好ましくは、滑り防止部は、天面部５と収容された衛生用品２との間に位置する包装袋１の内側の面に形成される。滑り防止部は、例えば、包装袋１の内側の面に、包装袋１の素材よりも摩擦係数の高い素材（例えば、ゴムなど）を貼り付けて設ける態様や、包装袋１の内側の面を、エンボス加工又は熱処理加工（熱処理により包装袋１の内側の面にパターンを形成する加工）により凹凸化（または粗面化）して設ける態様であってもよい。また、紐状の部材を、包装袋１の内側の面に、熱融着により接着して設ける態様であってもよい。
【００３３】
本実施形態によれば、第１の実施形態よりも、収容された衛生用品２が移動しにくくなり、上記距離（Ｌ１＋Ｌ２）が維持されるため、開閉部が係合し易くなり、簡単且つ迅速に包装袋１を閉塞することが可能となる。
【００３４】
＜第３の実施形態＞  
本発明の第３の実施形態では、収容された物品（本実施形態では衛生用品２）が頂部４の方に移動しにくくする工夫として、包装袋１の頂部４を胴部３より伸張率の低い素材で構成する例について説明する。本実施形態に係る包装袋１を構成する各要素のうち、同様の機能を有するものについては、第１の実施形態と同一の符号を付してその説明を省略する。
【００３５】
包装袋１の頂部４が伸縮性に富む柔らかい素材であれば、頂部４が伸張し、収容された衛生用品２が頂部４の方に移動する可能性が高まる。本実施形態に係る包装袋１では、頂部４は、胴部３より伸張率の低い素材で構成される。この伸張率の低い素材の構成としては、例えば、カーボンブラック、プラスティック樹脂などの部材や、加熱して硬化する部材を包装袋１の内側の面に貼り付ける態様が挙げられる。この構成により、収容された衛生用品２が頂部４側へスライドすることが抑制されるため、上述した距離（Ｌ１＋Ｌ２）が確保され、開閉部が閉塞しやすいという本発明の効果が一層発現されることになる。
【００３６】
＜その他＞  
本発明は、上述した実施形態や、随所に述べた変形例に限られることなく、本発明の技術的思想から逸脱しない範囲で、適宜の変更や変形が可能である。
【００３７】
例えば、上記各実施形態では、開封線７が形成されているが、包装袋１を開封可能であるなら、開封線７を形成せずに、簡単に破断可能な素材で構成された易破断部を包装袋１の頂部４付近に設けても良い。また、開封線７を形成せずに、両縁を掴んで開封するような包装袋についても本発明は適用可能である。
【００３８】
さらに、上記各実施形態に係る包装袋１には、複数の物品が圧縮されて１段分収容されているが、複数段収容されても良い。
【００３９】
上記各実施形態に係る包装袋１では、包装袋１を天面側からみた場合の胴部３の形状である略長方形の長辺に対して平行な方向に、物品を配列して収容しているが、これに限られず、例えば、当該長辺に対して垂直な方向に物品を配列して収容したり、物品を平積みされた状態で収容したりしても良い。
【００４０】
上記各実施形態に係る包装袋１では、一対の傾斜面部８を含むものであるが、これに限られない。例えば、天面部５および立ち上がり部６を囲むように四方に傾斜面部８を設ける態様であってもよい。
【００４１】
上記各実施形態に係る包装袋１は、開閉部１０のうち一方の係合部材と他方の係合部材とが、向かい合うように、包装袋１の内側に設けられているが、これに限られず、簡単且つ迅速に包装袋１を閉塞できるという本発明の所期の目的を達成し得るのであれば、開閉部１０を、互いに背向するように包装袋１の外側に形成してもよい。
【００４２】
上記各実施形態に係る包装袋１は、可搬性を考慮して、実施形態に係る包装袋１の立ち上がり部６の内側（または外側）の面に基端領域が接着される一対の持ち手部を取り付けても良い。ここで、立ち上がり部６に持ち手が取り付けられるのであれば、確保すべき距離（Ｌ１＋Ｌ２）を考慮して持ち手の取り付け位置を定めることができる。
【００４３】
上記各実施形態に係る包装袋１には、立ち上がり部６が形成されているが、立ち上がり部６を形成しない形態であっても良い。これにより、包装袋１全体をコンパクトな形状にすることが可能となる。
【符号の説明】
【００４４】
１  包装袋
２  衛生用品
３  胴部
３Ｔ  胴部の天面
４  頂部
５  天面部
６  立ち上がり部
７  開封線
８  傾斜面部
９  台形側面部
１０  開閉部
１００  包装体
【図１】
0006528653.tif 000002
【図２】
0006528653.tif 000003
【図３】
0006528653.tif 000004
【図４】
0006528653.tif 000005